【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】  ポリカーボネートおよび／またはポリエステルカーボネート、式(I)：
【化１】
2003509524.tif 000001
（ここで、Ａは、式(IIa)または(IIb)：
【化２】
2003509524.tif 000002
の基を表し、Ｒ１およびＲ２は、互いに独立して、非置換のもしくは置換されたＣ１〜Ｃ１０-アルキルまたは非置換のもしくは置換されたＣ６〜Ｃ１０-アリールであり、Ｒ３およびＲ４は、互いに独立して、非置換のもしくは置換されたＣ１〜Ｃ１０-アルキルまたは非置換のもしくは置換されたＣ６〜Ｃ１０-アリールであるか、あるいはＲ３およびＲ４は合わせて、非置換のもしくは置換されたＣ３〜Ｃ１０-アルキレンを表し、ｙは、数値０、１または２を表し、および置換基Ｂは、それぞれ独立して、水素、任意にハロゲン化されたＣ２〜Ｃ８-アルキル、非置換のもしくは置換されたＣ６〜Ｃ１０-アリールである。）
で表されるホスホネートアミンを０．１〜３０重量部、および下記の式(IIa)、(IIb)、(IIc)および(IId)で表される少なくとも１種のリン化合物を０．１〜２０重量部、および任意に衝撃強度調整剤を含有する混合物であって、前記重量部がいずれも混合物の合計重量を基準とするものである、混合物。
【化３】
2003509524.tif 000003
（ここで、Ｒ１、Ｒ２、Ｒ３およびＲ４は、互いに独立して、任意にハロゲン化されたＣ１〜Ｃ８-アルキル、またはＣ５〜Ｃ６-シクロアルキル、Ｃ６〜Ｃ２０-アリール、またはＣ７〜Ｃ１２-アラルキルであって、これらはそれぞれ場合によりアルキルおよび／またはハロゲンで置換されていてよく、ｎは、互いに独立して、０または１であり、ｋは、０〜３０を表し、そしてＸは、炭素原子６個〜３０個を有する単核または多核の芳香族基を表す。）
【化４】
2003509524.tif 000004
【化５】
2003509524.tif 000005
（ここで、Ｒ５およびＲ６は、互いに独立して、任意にハロゲン化されたＣ１〜Ｃ２４-アルキル、またはＣ５〜Ｃ６-シクロアルキル、Ｃ６〜Ｃ２０-アリール、またはＣ７〜Ｃ１２-アラルキルであって、これらはそれぞれ場合によりハロゲンおよび／またはＣ１〜Ｃ１０-アルキルで置換されていてよいものであるか、あるいは式(IId)の場合、Ｒ５およびＲ６はアルキル鎖を形成し、Ｍｅは、周期表の主分類第１〜第３族および副分類第ＶIII族、第１Ｂ族および第２Ｂ族から選択される金属を表し、およびｑは、金属イオンのイオン価で決定される。）
【請求項２】  Ａ）芳香族ポリカーボネートおよび／またはポリエステルカーボネートを４０〜９９重量部、
Ｂ）Ｂ.１）１種以上のビニルモノマー５〜９５重量％と、
Ｂ.２）ガラス転移温度が１０℃未満である１種以上のグラフトベース９５〜５重量％
とのグラフトポリマーを０．５〜６０重量部、
Ｃ）ビニル(コ)ポリマーおよびポリアルキレンテレフタレートから成る群より選択される少なくとも１種の熱可塑性ポリマーを０〜４５重量部、
Ｄ）請求項１記載の式(I)のホスホネートアミンから成る群より選択される少なくとも１つの成分を０．１〜３０重量部、
Ｅ）下記の式(IIa)、(IIb)、(IIc)および(IId)で表される少なくとも１種のリン化合物から選択されるリン化合物を０．５〜２０重量部、および
Ｆ）フッ素化ポリオレフィンを０〜５重量部
含有し、上記成分全ての重量部の和が１００である請求項１に記載の混合物。
【化６】
2003509524.tif 000006
（ここで、Ｒ１、Ｒ２、Ｒ３およびＲ４は、互いに独立して、任意にハロゲン化されたＣ１〜Ｃ８-アルキル、またはＣ５〜Ｃ６-シクロアルキル、Ｃ６〜Ｃ２０-アリール、またはＣ７〜Ｃ１２-アラルキルであって、これらはそれぞれ場合によりアルキルおよび／またはハロゲンで置換されていてよく、ｎは、互いに独立して、０または１であり、ｋは、０〜３０を表し、そしてＸは、炭素原子６個〜３０個を有する単核または多核の芳香族基を表す。）
【化７】
2003509524.tif 000007
（ここで、Ｒ５およびＲ６は、互いに独立して、任意にハロゲン化されたＣ１〜Ｃ２４-アルキル、またはＣ５〜Ｃ６-シクロアルキル、Ｃ６〜Ｃ２０-アリール、またはＣ７〜Ｃ１２-アラルキルであって、これらはそれぞれ場合によりハロゲンおよび／またはＣ１〜Ｃ１０-アルキルで置換されていてよいものであるか、あるいは式(IId)の場合、Ｒ５およびＲ６はアルキル鎖を形成し、Ｍｅは、周期表の主分類第１〜第３族および副分類第ＶIII族、第１Ｂ族および第２Ｂ族から選択される金属を表し、およびｑは、金属イオンのイオン価で決定される。）
【請求項３】  5,5,5',5',5'',5''-ヘキサメチル-トリス(1,3,2-ジオキサホスホリナン-メタン)アミノ-2,2',2''-トリオキサイド、
1,3,2-ジオキサホスホリナン-2-メタンアミン,Ｎ-ブチル-Ｎ[(5,5-ジメチル-1,3,2-ジオキサホスホリナン-2-イル)メチル]-5,5-ジメチル-,Ｐ,2-ジオキサイド、
1,3,2-ジオキサホスホリナン-2-メタンアミン,Ｎ-[(5,5-ジメチル-1,3,2-ジオキサホスホリナン-2-イル)メチル]-5,5-ジメチル-Ｎ-フェニル-,Ｐ,2-ジオキサイド、
1,3,2-ジオキサホスホリナン2-メタンアミン,Ｎ,Ｎ-ジブチル-5,5-ジメチル,2-オキサイド、
1,3,2-ジオキサホスホリナン-2-メタンアミン,Ｎ-[(5,5-ジメチル-1,3,2ジオキサホスホリナン-2-イル)メチル]-Ｎ-エチル-5,5-ジメチル,Ｐ,2-ジオキサイド、
1,3,2-ジオキサホスホリナン-2-メタンアミン,Ｎ-ブチル-Ｎ-[(5,5-ジクロロメチル-1,3,2-ジオキサホスホリナン-2-イル)メチル]-5,5-ジクロロメチル,Ｐ,2-ジオキサイド、
1,3,2-ジオキサホスホリナン-2-メタンアミン,Ｎ-[(5,5-ジクロロメチル-1,3,2-ジオキサホスホリナン-2-イル)メチル]-5,5-ジクロロメチル-Ｎ-フェニル-,Ｐ,2-ジオキサイド、
1,3,2-ジオキサホスホリナン-2-メタンアミン,Ｎ,Ｎ-ジ-(4-クロロブチル)-5,5-ジメチル-2-オキサイド、
1,3,2-ジオキサホスホリナン-2-メタンイミン,Ｎ-[(5,5-ジメチル-1,3,2-ジオキサホスホリナン-2-イル)メタン]-Ｎ-(2-クロロエチル)-5,5-ジ(クロロメチル),Ｐ,2-ジオキサイド
から成る群より選択されるホスホネートアミンを含有する請求項１または２に記載の混合物。
【請求項４】  グラフトベースＢ.２が、ジエンゴム、ＥＰ(Ｄ)Ｍゴム、およびアクリレート、ポリウレタン、シリコーン、クロロプレンおよびエチレン／酢酸ビニルゴムから成る群からの少なくとも１種のゴムから選択される請求項１〜３のいずれかに記載の混合物。
【請求項５】  成分Ａ〜Ｆおよび任意に他の添加物を混合して、溶融コンパウンドすることを特徴とする請求項１記載の成形用組成物の製造方法。
【請求項６】  成形品の製造における請求項１〜４のいずれかに記載の成形用組成物の使用。
【請求項７】  請求項１〜４のいずれかに記載の成形用組成物から製造される成形品。